(57)【特許請求の範囲】
【請求項１】
前面が開口されたソケット取付け筒部、およびこのソケット取付け筒部の外周面に一体に突設されて前記ソケット取付け筒部の内側空間に連通するリード線通路を有するスタンド柱からなるソケット台と、
前記ソケット取付け筒部の内周面および前記リード線通路によって前記ソケット取付け筒部の内側に形成された爪受け部と、
挿入されるランプピンを径方向両側から弾性的に挟持するコンタクト片を有するコンタクトを内蔵して前記ソケット取付け筒部にその前面開口端から挿入して収容された差込式の蛍光ランプソケットと、
この蛍光ランプソケットが有する合成樹脂製のソケットボディにその周面から一体に突設された係止爪と、
を具備し、前記係止爪を前記爪受け部に引っ掛けて前記ソケット取付け筒部に収容された前記蛍光ランプソケットを固定したことを特徴とする蛍光ランプソケットの取付け構造。
【発明の詳細な説明】
【０００１】
【発明の属する技術分野】
本発明は、直管型蛍光ランプを光源とする蛍光灯照明器具に備えられて、前記ランプを取外し可能に支持する蛍光ランプソケットの取付け構造に関する。
【０００２】
【従来の技術】
直管型蛍光ランプを支持する蛍光ランプソケットの中には、このソケットを収容するソケット取付け筒部を有したソケット台と組み合わせて使用されるものがあり、そのソケット台には使用時の外観を向上するためにめっきを施されたものが使用される。この使用形態では、一般的に、ソケット台が有する前面が開口された円筒状のソケット取付け筒部はその軸線が水平となる姿勢で配置され、この取付け筒部に蛍光ランプソケットが収容される。
【０００３】
このようにして使用される蛍光ランプソケットは、その略円筒形状をなすソケットボディの前端から突出する作動体を有し、その突出部分は前記取付け筒部の前面開口を通って外部に突出されている。この作動体の前面にはランプピン通孔が開けられていて、そこに直管型蛍光ランプのランプピンを挿入するとともに作動体を押し込むことにより、一対の蛍光ランプソケット間にわたって前記ランプを取外し可能に支持することができる。
【０００４】
又、同様なソケット台との組み合わせにおいて、実公昭５５―３９５７４号公報等に記載のように蛍光ランプソケットの略円筒形状をなすソケットボディを収容するソケット取付け筒部の前端に、作動体が貫通露出するリング状の押え枠を取付けたものも知られている。このような押え枠を備える構成では、前記取付け筒部に収容された蛍光ランプソケットが外れないようにできる。
【０００５】
【発明が解決しようとする課題】
この種の蛍光ランプソケットの作動体内には、ランプピン通孔に挿入されるランプピンとの電気的接触をなすコンタクトが収容されている。従来におけるコンタクトはランプピンに直角な平面でランプピンの先端を受ける構造であるため、ランプ交換などにおいて直管型蛍光ランプを取外しても、コンタクトがランプピンによって引出し力を受けることはない。ところが、前記のような接触では、その電気的接触の信頼性が低いため、本出願人によって、挿入されるランプピンをその径方向両側から弾性的に挟持する一対のコンタクト片を有するコンタクトを作動体に内蔵した蛍光ランプソケットが開発されるに至った。
【０００６】
このようなコンタクトは、一対のコンタクト片がこれらを開くように相互間に挿入されるランプピンを弾性的に挟持するため、ランプピンとコンタクトとの電気的接触の信頼性を向上できるが、蛍光ランプソケットから直管型蛍光ランプを取外す際に、前記挟持力が原因してコンタクトがランプピンによって引出し力を受ける。
【０００７】
そのため、ソケット台のソケット取付け筒部に単純に蛍光ランプソケットを収容する従来のソケット取付け構造において、前記のような一対のコンタクト片を有するコンタクトが内蔵された蛍光ランプソケットを使用する場合には、前記引出し力により蛍光ランプソケットがソケット台から引きずり出されることがある。このような事態になってもリード線を介して照明器具内とつながっている蛍光ランプソケットが脱落することはないが、蛍光ランプソケットが所定の収容位置からずれるので、直管型蛍光ランプの両端を支持する一対の蛍光ランプソケット間の適正なランプソケット間隔を維持できなくなる。それにより、ランプ交換等において新たな直管型蛍光ランプを容易に取付けることが難しくなる恐れがある。
【０００８】
又、このような不具合は前記公告公報に記載のような押え枠を使用すれば解消できる。しかし、そのために、押え枠が必要であるので、ソケット取付け構造において必要とする部品点数や組立て工数が増えてしまい、コスト高になるという問題がある。
【０００９】
したがって、本発明が解決しようとする第１の課題は、ソケット台に収容された蛍光ランプソケットを格別な部品を要することなく所定収容位置に保持できる蛍光ランプソケットの取付け構造を得ることにある。
【００１０】
【課題を解決するための手段】
前記第１の課題を解決するために、請求項１の発明は、前面が開口されたソケット取付け筒部、およびこのソケット取付け筒部の外周面に一体に突設されて前記ソケット取付け筒部の内側空間に連通するリード線通路を有するスタンド柱からなるソケット台と、前記ソケット取付け筒部の内周面および前記リード線通路によって前記ソケット取付け筒部の内側に形成された爪受け部と、挿入されるランプピンを径方向両側から弾性的に挟持するコンタクト片を有するコンタクトを内蔵して前記ソケット取付け筒部にその前面開口端から挿入して収容された差込式の蛍光ランプソケットと、この蛍光ランプソケットが有する合成樹脂製のソケットボディにその周面から一体に突設された係止爪と、を具備し、前記係止爪を前記爪受け部に引っ掛けて前記ソケット取付け筒部に収容された前記蛍光ランプソケットを固定したものである。
【００１１】
この請求項１の発明においては、蛍光ランプソケットがソケット台のソケット取付け筒部に収容されると、前記ソケットの係止爪がソケット台の爪受け部に引っ掛って、前記ソケットが前記取付け筒部から引出される方向の動きを妨げる。そのため、前記ソケットのコンタクトがランプピンをその径方向両側から弾性的に挟持する一対のコンタクト片を有していることに起因して、前記ソケットに差込み接続された直管型蛍光ランプの取外しに伴い、コンタクトを介して前記ソケットが前記取付け筒部から引出される力を受けるにも拘らず、前記ソケットの引出しを妨げて前記ソケットを所定の収容位置に保持する。それにより、適正なランプソケット間隔を維持できる。そして、爪受け部はソケット台と一体であり、この爪受け部に引っ掛けられる前記係止爪はソケットボディと一体であるので、前記ランプの取外しに伴う前記ソケットの所定収容位置からの位置ずれを防止するために押え枠等の格別な部品を必要とすることがない。更に、ソケット柱が有したリード線通路とソケット取付け筒部とによって必然的に形成される内側の角部を爪受け部に利用したので、爪受け部を設けるために格別な構成を必要とすることがなく、ソケット台の成形型の構造が複雑化せず、型費ひいては全体のコストを低減できる。
【００１２】
【発明の実施の形態】
以下、図１〜図６を参照して本発明の第１の実施の形態を説明する。
【００１３】
図１は蛍光灯照明器具全体の構成を示す斜視図であって、この図中１は天井等の取付け面に固定される図示しないシャーシにこれを覆い隠して取付けられる反射体である。前記シャーシには点灯装置等の電気部品が取付けられている。反射体１の長手方向両端部には直管型蛍光ランプ２の両端が取外し可能に支持される露出形のランプ支持装置３が夫々設けられている。これら支持装置３は図１に示す１灯式の場合には一組設けられるが、本発明を多灯式蛍光灯照明器具に適用する場合には、多数組の露出形のランプ支持装置３が設けられる。
【００１４】
各ランプ支持装置３は、ソケット台４と、差込み形の蛍光ランプソケット５とを具備していて、ソケット台４はそれ自体ひいては照明器具全体の外観向上のためにクロームめっきされている。
【００１５】
ソケット台４は、ポリプロピレン、ナイロン、ポリブチレンテレフタレート等の合成樹脂又は軽金属の一体成形品からなる。このソケット台４は、スタンド部１１と、ソケット取付け筒部１２とを備えている。スタンド部１１は、図２から図５に示されるようにスタンドベース１３にスタンド柱１４を一体に突設してなり、スタンド柱１４の先端にソケット取付け筒部１２が一体に形成されている。
スタンド部１１は、そのスタンドベース１３の裏面部に設けた複数の位置決め突起１５を反射体１に設けた図示しない位置決め用の小孔に挿入した状態で、反射体１を下方に貫通してスタンドベース１３の裏面部に一体に設けた複数のねじ受け穴１６に夫々ねじ１７（図４参照）をねじ込むことにより、反射体１の下面に装着される。スタンド柱１４は中空であって、その中空部はリード線通路１４ａとして利用される。この通路１４ａの一端１４ａ１はスタンドベース１３の裏面に開口され、他端はソケット取付け筒部１２内に連通されている。前記一端開口１４ａ１は、それに対応して反射体１の下面に開口された図示しない通孔に前記反射体１への装着状態において連通されるようになっている。
【００１６】
ソケット取付け筒部１２は、前端が開口されるとともに後端が閉じられた円筒形状をなしていて、その軸線をスタンド柱１４の軸線と直角にした水平な姿勢に設けられている。図２から図５に示されるようにソケット取付け筒部１２の内面には、この筒部１２の軸方向に延びる一対の第１リブ１８と一対の第２リブ１９とが、例えば９０°毎に一体に形成されている。これら各リブ１８、１９は、その長手方向略中央部に位置決め用の段差１８ａ、１９ａを有しているとともに、これら段差１８ａ、１９ａを境に前側の方が後側よりも幅が狭く形成されている。
【００１７】
図４に示されるようにソケット台４には爪受け部２０が一体に設けられている。この第１の実施の形態では、リード線通路１４ａとソケット取付け筒部１２とがなす内側の角部によって形成されている。このように必然的に形成される角部を利用する構成によれば、爪受け部２０を設けるために格別な構成を必要とすることがないから、ソケット台４の成形型の構造が複雑化せず、型費ひいては全体のコストを低減できる点で優れている。
【００１８】
前記蛍光ランプソケット５は、図６等に示されるようにソケットボディ２１と、ソケット後蓋２２と、一対の端子金具２３と、作動体２４と、一対のコンタクト２５と、一対の導電性コイルばね２６とを備えている。
【００１９】
合成樹脂製のソケットボディ２１は、一端に長方形状の通孔３１（図１及び図２参照）を有するとともに他端が開口された略円筒形状をなしている。同じく合成樹脂製のソケット後蓋２２はソケットボディ２１にその他端開口を塞いで図示しないねじにより固定されている。これらソケットボディ２１とソケット後蓋２２とがなすソケット筐体の外周面には、前記第１リブ１８に嵌合される一対の溝条３３が、前記筐体の軸方向に延びて設けられている。ソケット後蓋２２の内面には両端子金具２３が互いに絶縁されて取付けられている。これらの端子金具２３には前記ソケット筐体内においてリード線３４が接続されており、これらのリード線３４は前記ソケット筐体の外部に引出されている。
【００２０】
合成樹脂製の作動体２４は、前記通孔３１に通されてソケットボディ２１に摺動可能に収容されている。この作動体２４のソケットボディ２１外に位置される前端壁には一対のランプピン通孔２４ａが設けられ、又、ソケットボディ２１内に位置される他端は開口されている。前記一対のコンタクト２５は作動体２４内に収容されている。これらのコンタクト２５は導電性板ばねを折り曲げてなるものであって、一対のコンタクト片２５ａとこれらを一体につなぐコンタクトベース部２５ｂとを有している。両コンタクト２５は、自由状態では一対のコンタクト片２５ａの先端部が自己の弾性力で互いに接し合うような巾着形状を保持するものであり、これらはランプピン通孔２４ａと対向して作動体２４内に一体に設けた取付け軸３５に、コンタクトベース部２５ｂに開けた図示しない取付け孔を嵌着して取付けられている。
【００２１】
図６中３６はランプピン通孔２４ａを内側から跨ぐようにして作動体２４に一体に設けた取付け軸支えであり、それに取付け軸３５が突設されている。これらの取付け軸支え３６は一対のコンタクト片２５ａで挟まれており、それによって一対のコンタクト片２５ａは少し開かれた状態を保持してランプピン通孔２４ａと対向されている。こうした構造によって、両コンタクト２５の一対のコンタクト片２５ａは、それらに臨んだランプピン通孔２４ａを通って作動体２４内に挿入される直管型蛍光ランプ２のランプピン２ａ（図３参照）で互いに離れるように開かれるものであり、それによって、一対のコンタクト片２５ａはランプピン２ａをその径方向両側から弾性的に挟持して、コンタクト２５とランプピン２ａとの電気的な接触を高い信頼性をもって担うようになっている。
【００２２】
前記コイルばね２６は、その両端を端子金具２３とコンタクトベース部２５ｂとに接してソケットボディ２１と作動体２４とにわたって収容されていて、作動体２４を常に前記通孔３１から突出する方向に付勢している。
【００２３】
そして、図２〜図４に示されるように前記ソケットボディ２１の外周面には、前記リード線３４の引出し方向に突出して係止爪３７が一体に設けられている。この爪３７は前記爪受け部２０に引っ掛けられて蛍光ランプソケット５をソケット取付け筒部１２に固定するものである。係止爪３７は、単なる凸部でも差し支えないが、この第１の実施の形態では、ソケットボディ２１の軸方向に沿うように延びるアーム状の爪基部３８と、この爪基部３８の先端部に形成されて爪受け部２０に引っ掛けられる爪先部３９とで形成してある。爪基部３８はソケットボディ２１の外周面に接離する方向に弾性変形可能である。このように係止爪３７を弾性変形可能とする構成によれば、爪受け部２０に対する引っ掛りの係り代を多く確保して引っ掛りを確実にできるとともに、次に説明するソケット台４への蛍光ランプソケット５の取付けを軽い力で行うことができ、ランプ支持装置３の組立てを容易にできる点で優れている。
【００２４】
前記ランプ支持装置３の組立ては、まず、蛍光ランプソケット５の後部から引出されている２本のリード線３４を、ソケット台４のソケット取付け筒部１２の前端開口より導入して、スタンド柱１４のリード線通路１４ａに通して、その一端開口１４ａ１から引出す。次に、蛍光ランプソケット５を、そのソケット後蓋２２側を先頭にして、リード線３４の前記引出しを伴いながらソケット取付け筒部１２にその前端開口を通して収容する。
【００２５】
この収容において蛍光ランプソケット５の溝条３３はソケット取付け筒部１２内の第１リブ１８に嵌合されるので、蛍光ランプソケット５はその作動体２４が図２に示されるように水平な姿勢を保って挿入される。この挿入に伴い、図４（Ａ）に示されるようにソケットボディ２１と一体の係止爪３７が、始めにソケット取付け筒部１２の前端に当ってソケットボディ２１の外面に近づけられるように弾性変形しながら、前記挿入に伴いソケット取付け筒部１２の内面を摺動する。そして、蛍光ランプソケット５が所定の収容位置まで挿入されると、その時点で係止爪３７の弾性力により爪先部３９がソケット取付け筒部１２の内面から外れてリード線通路１４ａ内に入り込み、ソケット台４の爪受け部２０に引っ掛けられる。この状態は図４（Ｂ）に示されている。なお、このような適正位置への収容状態において、前記ソケット５のソケット後蓋２２は各リブ１８、１９の段差１８ａ、１９ａに接近し、それ以上奥側への蛍光ランプソケット５の移動が妨げられる。しかも、両リブ１８、１９の段差１８ａ、１９より前側の幅が狭いリブ部分によって、ソケット取付け筒部１２内での蛍光ランプソケット５の径方向の動き止めがなされるとともに、係止爪３７の弾性により蛍光ランプソケット５が第１リブ１８に押付けられているので、蛍光ランプソケット５の収容姿勢を安定させることができ、かつ、それに伴い、係止爪３７の爪受け部２０への引っ掛かりが不用意に外れないようにできる。
【００２６】
以上の手順で組立てられた左右一対のランプ支持装置３間には直管型蛍光ランプ２が取外し可能に支持される。このランプ２の取付けは、まず、ランプ２の一端側のランプピン２ａを一方のランプ支持装置３の蛍光ランプソケット５が備える作動体２４のランプピン通孔２４ａに挿入するとともに作動体２４を押込んだ後、前記ランプ２の他端側のランプピン２ａを他方のランプ支持装置３の蛍光ランプソケット５が備える作動体２４のランプピン通孔２４ａに挿入することにより実施する。そうすると、前記ランプ２は、両蛍光ランプソケット５のコイルばね２６で付勢された作動体２４間に挟持されて、左右一対のランプ支持装置３にわたって支持されるものである。
【００２７】
そして、ランプ交換などにおいて前記のように取付け支持された蛍光ランプ２を取外すには、前記取付けと逆の手順で実施できる。この場合、ランプピン２ａは作動体２４内のコンタクト２５が有する一対のコンタクト片２５ａに弾性的に挟持されているから、ランプピン２ａの引き抜きに伴ってコンタクト２５を介して作動体２４に加わる引き抜き力で蛍光ランプソケット５全体が引出されようとする。
【００２８】
しかし、既述のように蛍光ランプソケット５のソケットボディ２１と一体の係止爪３７がソケット台４と一体の爪受け部２０に引っ掛っているから、そこでのストッパ作用により、前記引出し力が及ぶにも拘らず、蛍光ランプソケット５がソケット台４のソケット取付け筒部１２から前方に引出される方向の動きを妨げて、ソケット台４に対して蛍光ランプソケット５を所定の収容位置に保持できる。
【００２９】
したがって、蛍光ランプ２の取外しに伴い蛍光ランプソケット５が引出されることが防止され、一対のランプ支持装置３のソケット間隔を適正間隔に維持できるので、次に蛍光ランプ２を取付ける際に容易に取付けることができる。
【００３０】
又、以上のようなソケット台４からの蛍光ランプソケット５の引出し防止を行うのに係止爪３７及び爪受け部２０を設けたが、係止爪３７はソケットボディ２１と一体に成形され、かつ、爪受け部２０のソケット台４と一体であるから、前記引出し防止のために格別な部品を必要とすることがない。そのため、部品点数や組立て工数を削減でき、それに伴い、コストも低減できる。
【００３１】
【発明の効果】
本発明は、以上説明したような形態で実施され、以下に記載されるような効果を奏する。
【００３２】
請求項１に記載の発明によれば、蛍光ランプソケットと一体の係止爪がソケット台の爪受け部に引っ掛って、前記ソケットが前記ソケット台のソケット取付け筒部から引出される方向の動きを妨げる構成により、直管型蛍光ランプの取外しに伴い前記ソケットが引出されることを妨げて前記ソケットを所定の収容位置に保持できるとともに、この実現にあたり、押え枠等の格別な部品を必要とすることがなく、簡単に実施できる。更に、ソケット柱が有したリード線通路とソケット取付け筒部とによって必然的に形成される内側の角部を爪受け部に利用したので、爪受け部を設けるために格別な構成を必要とすることがなく、ソケット台の成形型の構造が複雑化せず、型費ひいては全体のコストを低減できる。
【図面の簡単な説明】
【図１】蛍光灯照明器具全体の構成を示す斜視図。
【図２】図１に示された照明器具に採用された本発明の第１の実施の形態に係る蛍光ランプソケットの取付け構造を示す正面図。
【図３】図１に示された照明器具に採用された本発明の第１の実施の形態に係る蛍光ランプソケットの取付け構造を分解して示す斜視図。
【図４】（Ａ）は第１の実施の形態に係る蛍光ランプソケットの取付け構造をなすソケット台と蛍光ランプソケットとの組み込み直前の状態を示す断面図。
（Ｂ）は第１の実施の形態に係る蛍光ランプソケットの取付け構造をなすソケット台と蛍光ランプソケットとが組み立てられた状態を示す断面図。
【図５】図４（Ａ）中Ｚ−Ｚ線に沿って示す断面図。
【図６】図４（Ａ）中Ｙ−Ｙ線に沿って示す蛍光ランプソケットの断面図。
【符号の説明】
２…直管型蛍光ランプ、２ａ…ランプピン、３…ランプ支持装置、４…ソケット台、５…蛍光ランプソケット、１２…ソケット取付け筒部、１４…スタンド柱、１４ａ…リード線通路、２０…爪受け部、２１…ソケットボディ、２４…作動体、２４ａ…ランプピン通孔、２５…コンタクト、２５ａ…コンタクト片、３７…係止爪、３８…爪基部、３９…爪先部。
【図１】
0003965727.tif 000002
【図２】
0003965727.tif 000003
【図３】
0003965727.tif 000004
【図４】
0003965727.tif 000005
【図５】
0003965727.tif 000006
【図６】
0003965727.tif 000007